(57)【特許請求の範囲】
【請求項１】
コンクリート建造物にプレストレスを与えるために用いられる複数本の緊張材を前記コンクリート建造物の端面付近に定着するための、前記複数本の緊張材の本数に対応した複数個の挿通孔を有する、端面が円形状の定着ブロックと、前記コンクリート建造物の端面付近に埋設され、前記定着ブロックを固定するためのガイドとを含み構成される定着装置において、前記緊張材の張力の影響による前記定着ブロックの回転を防止する構造であって、
前記定着ブロックにその外周側からキー溝が、前記ガイドの内周側に前記キー溝に嵌合するキーがそれぞれ形成され、前記キー溝は前記定着ブロックの外周から、前記複数個の挿通孔の内、最も外周寄りに位置する挿通孔までの距離が最も大きい位置に形成されていることを特徴とする定着装置における定着ブロックの回転防止構造。
【請求項２】
前記キー溝およびキーをそれぞれ複数組形成したことを特徴とする請求項１に記載の定着装置における定着ブロックの回転防止構造。
【発明の詳細な説明】
【０００１】
本発明は、コンクリート建造物にプレストレスを与えるために用いられる緊張材を前記コンクリート建造物に端面付近に定着させる定着装置において、前記緊張材の張力の影響による前記定着ブロックの回転を防止する定着ブロックの回転防止構造に関する。
【０００２】
【従来の技術】
図６は、従来の定着装置の構成を示す概念図である。右側の図は左側の図を矢印方向に見た状態を示している。従来の定着装置は、定着ブロック１とガイド２からなる。そして、定着ブロック１の挿通孔１１にコンクリート建造物（不図示）に装着された緊張材３を通し、この定着ブロック１を前記コンクリート建造物の端面付近に埋設されたガイド２に取り付けることで、緊張材３を前記コンクリート建造物の端面付近に定着させる。また、定着ブロック１の外周付近にはネジ孔１２が、これと対応するガイド２の位置にはネジ溝２１がそれぞれ複数設けられている。これらのネジ孔１２、ネジ溝２１にネジ４を通して定着ブロック１とガイド２とを固定することで、緊張材３の強い張力の影響による定着ブロック１の回転を防止する。
【０００３】
【発明が解決しようとする課題】
このように、従来の定着装置では、定着ブロック１の外周付近に、定着ブロック１をガイド２に固定するためのネジ孔１２が形成されている。このような構成の定着装置では、定着ブロック１の径をネジ孔１２を形成する領域分だけ大きくしなければならない。一般に、この種の定着ブロック１の材質は高価なクロム材であるため、ネジ孔１２を形成する領域分だけ余計に材料が必要となるうえ、ネジ孔１２の加工工程も必要となるため、コスト高をまねくという問題が生じる。また、定着ブロック１の径の大きさに比例して定着ブロック１の重量も増すことになる。
【０００４】
本発明は、上記のような従来技術の有する問題点に鑑みなされたものであり、その目的は、十分な強度を備えながらも、低コストで軽量な定着装置における定着ブロックの回転防止構造を提供することにある。
【０００５】
【課題を解決するための手段】
本発明の請求項１に記載の定着装置は、上記目的を達成するため、コンクリート建造物にプレストレスを与えるために用いられる複数本の緊張材を前記コンクリート建造物の端面付近に定着するための、前記複数本の緊張材の本数に対応した複数個の挿通孔を有する、端面が円形状の定着ブロックと、前記コンクリート建造物の端面付近に埋設され、前記定着ブロックを固定するためのガイドとを含み構成される定着装置において、前記緊張材の張力の影響による前記定着ブロックの回転を防止する構造であって、
前記定着ブロックにその外周側からキー溝が、前記ガイドの内周側に前記キー溝に嵌合するキーがそれぞれ形成され、前記キー溝は前記定着ブロックの外周から、前記複数個の挿通孔の内、最も外周寄りに位置する挿通孔までの距離が最も大きい位置に形成されていることを特徴とする。
本発明の請求項２に記載の定着装置における定着ブロックの回転防止構造は、請求項１に記載の定着装置における定着ブロックの回転防止構造において、前記キー溝およびキーをそれぞれ複数組形成したことを特徴とする。
【０００６】
【発明の実施の形態】
以下、図示した一実施の形態に基づき、本発明を詳細に説明する。
【０００７】
図１は、本発明の定着装置の実施状態を示す縦断面図である。ここに示すように、まず、定着ブロック１の挿通孔１１に、トランペット５に挿通された緊張材３を通し、定着ブロック１をコンクリート建造物の端面付近に埋設されたガイド２に固定する。このとき、緊張材３には、緊張材３を定着ブロック１に定着させるためのウェッジ６が取り付けられている。また、定着ブロック１とトランペット５との間には、スペーサ７が嵌め込まれている。さらに、緊張材３の酸化を防ぐため、定着ブロック１にはグラウトキャップ８が取り付けられ、その内部がグラウト９で充填される。このようにして、本発明の定着装置は、緊張材３の端部をコンクリート建造物の端面付近に定着させる。緊張材３が被覆されていても、それは同様の方法で定着される。
【０００８】
ところで、定着ブロック１をガイド２に強く固定しなければ、緊張材３の張力の影響により定着ブロック１が回転してしまう。そこで、本発明の定着装置では、定着ブロック１とガイド２とを固定するため、以下のような構成を採用した。
【０００９】
図２は、定着ブロック１の構成を示す正面図である。図３は、図２に示したＡ−Ａ線に沿う断面図である。本発明の定着装置では、定着ブロック１の外周部の一箇所にキー溝１３を形成した。なお、挿通孔１１の構成は従来と同様である。一方、図４は、ガイド２の構成を示す正面図である。図５は、図４に示したＢ−Ｂ線に沿う断面図である。ガイド２には、定着ブロック１をこのガイド２に取り付ける際、定着ブロック１に形成されたキー溝１３と対応する位置にキー溝１３と嵌合させるキー２２を形成した。
【００１０】
このように、本発明の定着装置では、従来、定着ブロック１をガイド２に固定するために必要とされていたネジ孔、ネジ溝に代えて、キー溝およびキーを形成した。そして、定着ブロック１をガイド２に取り付ける際、定着ブロック１に形成されたキー溝１３をガイド２に形成されたキー２２に合わせるだけで固定できるため、ネジ止めを必要とした従来のものと比べ、取り付け作業が容易になる。本発明の定着装置では、キー溝１３とキー２２が一組しか形成されていないが、これでも十分従来の装置と同様に、定着しようとする緊張材の張力の影響による回転を阻止でき、その強度には問題がない。もちろん、コスト的に問題がなければ、キー溝１３とキー２２を複数組形成しても差し支えない。
【００１１】
また、本発明の定着装置では、定着ブロック１に従来必要とされていたネジ溝を形成する必要がないため、ネジ溝を形成するための領域が不要となり、この分だけ定着ブロック１の径の大きさを小さくすることができる。一般に、定着ブロック１の材質は高価なクロム材が用いられるため、定着ブロック１の径を縮小可能な本発明の定着装置は従来の装置と比べ際立ったコストダウンが可能になる。加えて、ネジ孔、ネジ溝を形成することに代えてキー溝１３、キー２２を形成すればよいため、従来の装置に比べ大幅に製造工程の削減が可能になる。この点に関してもコスト低減に資するものである。
【００１２】
以上、本発明の一実施形態を図面に沿って説明した。しかしながら本発明はこの実施の形態に示した事項に限定されず、特許請求の範囲の記載に基づいてその変更、改良等が可能であることは云うまでもない。例えば、定着ブロック１をガイド２に固定できるのであれは、キー溝１３やキー２２の形状はどのようなものでもよい。
【００１３】
【発明の効果】
上述のように、本発明によれば、十分な強度を備えながらも、低コストで軽量な定着装置を提供できる。
【図面の簡単な説明】
【図１】本発明の定着装置の実施状態を示す縦断面図である。
【図２】定着ブロック１の構成を示す正面図である。
【図３】図２に示したＡ−Ａ線に沿う断面図である。
【図４】ガイド２の構成を示す正面図である。
【図５】図４に示したＢ−Ｂ線に沿う断面図である。
【図６】従来の定着装置の構成を示す概念図である。
【符号の説明】
１  定着ブロック
２  ガイド
３  緊張材
４  ネジ
５  トランペット
６  ウェッジ
７  スペーサ
８  グラウトキャップ
９  グラウト
１１  挿通孔
１２  ネジ孔
１３  キー溝
２１  ネジ溝
２２  キー
【図１】
0003702253.tif 000002
【図２】
0003702253.tif 000003
【図３】
0003702253.tif 000004
【図４】
0003702253.tif 000005
【図５】
0003702253.tif 000006
【図６】
0003702253.tif 000007